(57)【要約】【課題】雪止めとして利用した後にパネル用の固定具としても利用でき、設置面に与える追加の負荷を軽減することができる屋外設置用の器具を提供する。【解決手段】屋外設置用の器具１００は、設置面に固定される固定部１４２と、設置面から立ち上がる雪止め部１４７と、を含む基部１４０を有する。基部１４０は、搭載物を支持する支持部材１５０と着脱可能に構成されている。【選択図】図６
2019218733.tif 000002
【特許請求の範囲】
【請求項１】
設置面に固定される固定部と、前記設置面から立ち上がる雪止め部と、を含む基部を有し、
前記基部は、搭載物を支持する支持部材と着脱可能に構成されている、屋外設置用の器具。
【請求項２】
前記雪止め部は、前記設置面から離れる方向に延び、前記設置面から最も離れた位置で終端している、請求項１に記載の屋外設置用の器具。
【請求項３】
前記雪止め部は、締結部材を挿入するための孔部を有し、
前記基部は、前記孔部に挿入された前記締結部材によって前記支持部材と着脱可能に構成されている、請求項１又は２に記載の屋外設置用の器具。
【請求項４】
前記設置面は水平面から傾斜しており、
前記設置面の流れ方向と直交する方向であって前記設置面に沿った方向において、前記雪止め部の幅は前記固定部の幅よりも大きい、請求項１から３のいずれか１項に記載の屋外設置用の器具。
【請求項５】
前記設置面は、第１板部材と、前記第１板部材に隣接し、前記第１板部材の第１端部上に部分的に重なる第２板部材と、を含み、
前記固定部は、前記第１板部材の前記第１端部のところで前記第２板部材の下側に挿入可能に構成されている、請求項１から４のいずれか１項に記載の屋外設置用の器具。
【請求項６】
前記固定部は、前記雪止め部から離れるにつれて先細りする先細り部を有する、請求項１から５のいずれか１項に記載の屋外設置用の器具。
【請求項７】
搭載物を支持する前記支持部材をさらに有する、請求項１から６のいずれか１項に記載の屋外設置用の器具。
【請求項８】
前記支持部材は、前記設置面に直接固定されることなく前記雪止め部のみに固定されるよう構成されている、請求項７に記載の屋外設置用の器具。
【請求項９】
搭載物を支持する支持部材を有し、
前記支持部材は、搭載物を支持する支持面を有し、雪止め具と着脱可能に構成されている、屋外設置用の器具。
【発明の詳細な説明】
【技術分野】
【０００１】
本発明は、屋外の設置面に取り付けられる屋外設置用の器具に関する。
【背景技術】
【０００２】
降雪地域では、屋根からの雪の滑落を抑制するため、雪止め具が、建造物の屋根に設置されることがある（特許文献１）。雪止め具は、屋根上の雪の滑りを止めるため屋根に対して直立した雪止め部と、雪止め具を屋根に固定する固定部と、を有する。
【０００３】
また、近年、建造物の屋根のような屋外の設置面に太陽電池モジュールのようなパネルが設置されることがある（特許文献２）。太陽電池モジュールは、建造物の屋根の種類に応じた固定具によって屋外の設置面に取り付けられる。
【先行技術文献】
【特許文献】
【０００４】
【特許文献１】特開２０１７−１２０００７号
【特許文献２】特開２０１１−１１７２０４号
【発明の概要】
【発明が解決しようとする課題】
【０００５】
本願の発明者は、雪止め具が設置されている屋外の設置面に、太陽電池モジュールのようなパネルを後に設置することを検討した。この場合、本願の発明者は、以下のような課題が生じ得ることを見出した。すなわち、雪止め具が屋外の設置面に取り付けられるだけでなく、パネルを設置面に固定するための固定具も屋外の設置面に取り付けられる。これらの雪止め具や固定具は、設置面を押圧したり設置面に穴をあけたりするため、設置面に負荷を与える。したがって、雪止め具が設置されている屋外の設置面に固定具によってパネルを設置しようとすると、屋外の設置面に追加の負荷を与えてしまう。
【課題を解決するための手段】
【０００６】
一態様に係る屋外設置用の器具は、設置面に固定される固定部と、前記設置面から立ち上がる雪止め部と、を含む基部を有する。前記基部は、搭載物を支持する支持部材と着脱可能に構成されている。
【０００７】
別の態様に係る屋外設置用の器具は、搭載物を支持する支持部材を有する。前記支持部材は、搭載物を支持する支持面を有し、雪止め具と着脱可能に構成されている。
【発明の効果】
【０００８】
上記態様によれば、屋外設置用の器具は、支持部材の利用の有無に応じて、雪止め具としての機能と、太陽電池モジュールのような搭載物を固定する固定具としての機能と、の両方を発揮し得る。したがって、屋外設置用の器具を雪止めとして利用した後に、当該屋外設置用の器具を固定具としても利用でき、設置面に与える追加の負荷を軽減することができる。
【図面の簡単な説明】
【０００９】
【図１】屋外設置用の器具によって固定されたパネルを含むパネル取付構造の斜視図である。
【図２】パネル取付構造の分解斜視図である。
【図３】屋外設置用の器具と設置面の斜視図である。
【図４】パネル取付構造の側面図である。
【図５】第１実施形態に係る屋外設置用の器具の斜視図である。
【図６】第１実施形態に係る屋外設置用の器具の分解斜視図である。
【図７】雪止め具として利用される屋外設置用の器具と設置面の斜視図である。
【図８】第２実施形態に係る屋外設置用の器具の斜視図である。
【図９】第３実施形態に係る屋外設置用の器具の分解斜視図である。
【発明を実施するための形態】
【００１０】
以下、図面を参照して、実施形態について説明する。以下の図面において、同一又は類似の部分には、同一又は類似の符号を付している。ただし、図面は模式的なものであり、各寸法の比率等は現実のものとは異なることがあることに留意すべきである。
【００１１】
（第１実施形態）
屋外設置用の器具は、雪止めとしての機能と、パネル用の固定具としての機能と、の両方を発揮し得るものである。図１は、屋外設置用の器具によって固定されたパネルを含むパネル取付構造の斜視図である。図２は、当該パネル取付構造の分解斜視図である。図３は、屋外設置用の器具と設置面の斜視図である。図４は、パネル取付構造の側面図である。図５は、屋外設置用の器具の斜視図である。図６は、屋外設置用の器具の分解斜視図である。
【００１２】
パネル取付構造は、パネル１０と、パネル１０を保持する保持部材２００と、屋外設置用の器具１００と、を有していてよい。パネル１０は、例えば太陽電池モジュールであってよい。パネル１０は、１つであってもよく、複数並んでいてもよい。
【００１３】
本実施形態では、パネル１０は、水平面から傾斜した設置面に設置されていてよい。そのような設置面として、例えば建造物の屋根、具体的にはスレートのような屋根材が挙げられる。本実施形態では、設置面は、複数の板部材３００を含む。複数の板部材３００は、互いに隣接して設けられている。複数の板部材３００は、元々設置されていた屋根材４００上に、屋根材４００を覆うように設けられていてよい。板部材３００は、例えば金属板によって構成されていてもよいが、これに限定されない。この代わりに、板部材３００は、元々設置されている例えばスレートのような屋根材自身であってもよい。
【００１４】
互いに隣接する板部材３００は、部分的に互いに重なっていてよい。より具体的には、図４に示すように、板部材３００の水上側の端部は、上方に折り返された第１折り返し部３００ａを有し、板部材３００の水下側の端部は、下方に折り返された第２折り返し部３００ｂを有していてよい。ここで、第１折り返し部３００ａと第２折り返し部３００ｂは、板部材３００の互いに反対側の端部に位置していてよい。板部材３００の第１折り返し部３００ａは、水上側に隣接する板部材３００の第２折り返し部３００ｂと係合し、噛み合っている。板部材３００の第２折り返し部３００ｂは、水下側に隣接する板部材３００の第１折り返し部３００ａと係合し、噛み合っている。このような板部材３００の係合は、流れ方向Ｆ１に互いに隣接する板部材３００どうしの間に存在することが好ましい。これにより、板部材３００の表面に付着した水が、板部材３００の下側に達することを抑制することができる。
【００１５】
本明細書において、傾斜した設置面において最大傾斜線に沿って高い方から低い方へ向かう方向を「流れ方向Ｆ１」と称する。流れ方向Ｆ１の上流側を「水上側」と称する。流れ方向Ｆ１の下流側を「水下側」と称する。また、水平面又は設置面に平行な面内で流れ方向Ｆ１と直交する方向を「横方向Ｆ２」と称する。
【００１６】
保持部材２００は、横方向Ｆ２に延びていてよい。保持部材２００は、パネル１０の端部を積載するパネル積載部２２０を有する（図４参照）。１つのパネル１０は、一対の保持部材２００のパネル積載部２２０によって保持されている。
【００１７】
保持部材２００は、屋外設置用の器具１００に設けられた第１締結部材１８０によって屋外設置用の器具１００に取り付けられている。屋外設置用の器具１００は、設置面に固定されている。本実施形態では、各々の保持部材２００は、２つの固定具１００によって固定されている。これに限らず、各々の保持部材２００を固定する固定具１００の数は、３つ以上であってもよい。
【００１８】
屋外設置用の器具１００は、基部１４０と、支持部材１５０と、を有する。基部１４０は、設置面に固定される固定部１４２と、設置面から立ち上がる雪止め部１４７と、を有する。雪止め部１４７は、固定部１４２と一体に構成されていてよい。基部１４０は、当接部１４６で設置面に当接し、屋外設置用の器具１００からの荷重を支える。
【００１９】
本実施形態では、好ましい一例として、固定部１４２は、複数の板部材３００のうち第１板部材３００の端部のところで、水上側に隣接する第２板部材３００の下側に挿入されるよう構成されている。具体的には、固定部１４２は、第１板部材３００の第１折り返し部３００ａに沿って上方に折り返されるとともに第２板部材３００の第２折り返し部３００ｂに沿ってさらに上方に折り返される係合部１４４を有していることが好ましい。すなわち、固定部１４２は、係合部１４４のところで略Ｚ型に折り曲げられている。これにより、固定部１４２は、係合部１４４よりも雪止め部１４７側では板部材３００の上に位置する。また、係合部１４４よりも雪止め部１４７と反対側の先端は、板部材３００に覆われる。
【００２０】
屋外設置用の器具１００は、固定部１４２を設置面に固定する固定部材１９０を有していてよい。固定部材１９０は、例えばビスや釘であってよい。固定部材１９０は、固定部１４２を貫通し、屋根材４００に達していてよい。これにより、固定部材１９０は、ビスや釘のような固定部材１９０によって強固に固定される。この代わりに、固定部材１９０は、固定部１４２を屋根材又はその下地に接着する接着剤や、固定部１４２と引っ掛かるよう構成された屋根材又はその下地の凸部などであってもよい。
【００２１】
固定部材１９０は、板部材３００に覆われる位置に設けられることが好ましい。これにより、板部材３００の表面に付着した水が固定部材１９０のところまで浸入することが防止される。なお、防水性をより高めるため、設置面に打ち込まれるすべての固定部材１９０は、板部材３００に覆われた位置のみに存在することがより好ましい。
【００２２】
基部１４０は、搭載物を支持する支持部材１５０と着脱可能に構成されている。具体的には、雪止め部１４７は、締結部材１７０を挿入するための孔部１４９を有し、基部１４０は、孔部１４９に挿入された締結部材１７０によって支持部材１５０と着脱可能に構成されていてよい。
【００２３】
孔部１４９は、締結部材１７０の孔部１４９に挿入される部分の直径よりも横方向Ｆ２に長くてもよい。この場合、締結部材１７０の横方向の位置を微調整することができる。これにより、搭載物を支持する保持部材２００の位置の微調整が可能になる。
【００２４】
支持部材１５０は、雪止め部１４７に接する固定部１５７と、設置面から離れた位置で設置面に沿った支持面１５８と、を有していてよい。固定部１５７と支持面１５８は、互いに一体で、それぞれ平板状に形成されていてよい。支持面１５８は、固定部１５７からＬ字形に曲げられることによって形成されている。固定部１５７は、前述した締結部材１７０によって雪止め部１４７に締結される。支持面１５８は、固定部１５７から連続しており、搭載物を支持するよう構成されている。好ましくは、固定部１５７は、雪止め部１４７よりも水下側で雪止め部１４７に接する。
【００２５】
支持部材１５０は、締結部材１８０によって保持部材２００を保持するよう構成されていてもよい。この場合、締結部材１８０は、設置面に沿った面内で流れ方向Ｆ１にスライド可能に構成されていることが好ましい。これは、締結部材１８０が挿入される穴を、締結部材１８０よりも流れ方向Ｆ１に長くすることによって実現できる。これにより、例えば保持部材２００のような搭載物の流れ方向Ｆ１の位置を調節することができる。
【００２６】
本実施形態では、積載物は、前述したパネル１０及び保持部材２００である。本実施形態では、支持面１５８は、保持部材２００の脚部２１０と当接するよう構成されている。この代わりに、支持部材１５０は、太陽電池モジュールのようなパネルを直接支持するよう構成されていてもよい。
【００２７】
図７は、雪止め具として利用される屋外設置用の器具と設置面の斜視図である。図７に示すように、前述の基部１４０が、雪止め具として利用される。この場合、支持部材１５０は、基部１４０に取り付けられていない。すなわち、前述した基部１４０は、雪止め具を構成している。
【００２８】
雪止め具としての基部１４０は、雪止め部１４７の板面が流れ方向Ｆ１と交差するよう設置面に設置される。これにより、雪止め部１４７は、流れ方向Ｆ１に雪が滑ることを抑制することができる。
【００２９】
雪止め部１４７は、設置面から離れる方向に延び、設置面から最も離れた位置で終端していることが好ましい。すなわち、雪止め部１４７は、その頂部において、設置面に沿った方向には曲げられていなくてよい。設置面に沿った方向に板面が延びていると、当該板面上に積もった雪が滑り易くなることがある。本態様では、雪止め部１４７の頂部が設置面に沿った方向に延びていないため、雪の滑りをより抑制することができる。
【００３０】
設置面に沿った雪止め部１４７の幅、具体的には横方向Ｆ２における幅Ｗ１は、好ましくは７ｃｍ以上、より好ましくは１４ｃｍ以上である。これにより、傾斜面における雪の滑りをより抑制することができる。
【００３１】
上記態様によれば、屋外設置用の器具１００は、支持部材１５０の利用の有無に応じて、雪止め具としての機能と、太陽電池モジュールのような搭載物を固定する固定具としての機能と、の両方を発揮し得る。したがって、屋外設置用の器具（基部１４０）を雪止め具として利用した後に、当該屋外設置用の器具を固定具としても利用できる。すなわち、雪止め具として利用した基部１４０に、支持部材１５０を取り付けることによって、設置面上にパネルを保持することができるようになる。この場合、パネルを設置するために、設置面に既に取り付けられている基部１４０を利用することができるため、設置面に与える追加の負荷を軽減することができる。
【００３２】
さらに、図示されているように、支持部材１５０は、設置面に直接固定されることなく雪止め部１４７のみに固定されるよう構成されていることがより好ましい。この場合、パネルを設置するためにビスや釘のような追加の固定部材を設置面に直接取り付ける必要がないため、設置面に与える追加の負荷をさらに軽減することができる。
【００３３】
（第２実施形態）
次に、図８を用いて、第２実施形態に係る屋外設置用の器具について説明する。図８は、第２実施形態に係る屋外設置用の器具の斜視図である。図８では、第１実施形態に係る基部１４０に相当する構成のみが示されている。なお、以下では、第１実施形態と異なる構成について詳細に説明する。第１実施形態と同様の構成については、その説明を省略することに留意されたい。
【００３４】
第２実施形態では、雪止め具として利用可能な基部１４０は、第１実施形態と同様に、固定部１４２と、雪止め部１４７と、を有する。第２実施形態では、設置面に沿った方向（横方向Ｆ２）における雪止め部１４７の幅Ｗ１は、設置面に沿った方向（横方向Ｆ２）における固定部１４２の幅よりも大きい。これにより、雪止め部１４７の雪止め機能を向上させるとともに、固定部１４２を板部材３００の下に挿入させ易くすることができる。
【００３５】
また、雪止め部１４７の幅を広くしつつも、屋外設置用の器具全体の小型化を図ることにより、屋外設置用の器具のコストを低下させることも可能である。
【００３６】
第２実施形態においても、第１実施形態と同様に、基部１４０は、支持部材１５０と着脱可能に構成されている。支持部材１５０の構成は、第１実施形態と同様である。
【００３７】
（第３実施形態）
次に、図９を用いて、第３実施形態に係る屋外設置用の器具について説明する。図９は、第３実施形態に係る屋外設置用の器具の斜視図である。図９では、第１実施形態に係る基部１４０に相当する構成のみが示されている。なお、以下では、第１実施形態と異なる構成について詳細に説明する。第１実施形態と同様の構成については、その説明を省略することに留意されたい。
【００３８】
第３実施形態では、雪止め具として利用可能な基部１４０は、第１実施形態と同様に、固定部１４２と、雪止め部１４７と、を有する。第３実施形態では、固定部１４２は、雪止め部１４７から離れるにつれて先細りする先細り部を有する。本実施形態では、この先細り部は、当接部１４６に設けられている。
【００３９】
第３実施形態では、先細り部により、固定部１４２の先端の方が細くなっているため、固定部１４２を板部材３００の下に挿入させ易くすることができる。
【００４０】
また、第３実施形態においても、第１実施形態と同様に、基部１４０は、支持部材１５０と着脱可能に構成されている。支持部材１５０の構成は、第１実施形態と同様である。
【００４１】
上述したように、実施形態を通じて本発明の内容を開示したが、この開示の一部をなす論述及び図面は、本発明を限定するものであると理解すべきではない。この開示から当業者には様々な代替の実施形態、実施例及び運用技術が明らかとなる。したがって、本発明の技術的範囲は、上述の説明から妥当な特許請求の範囲に係る発明特定事項によってのみ定められるものである。
【００４２】
また、固定具１００が置かれる板部材３００の下に不図示の防水シートが敷かれてもよい。この場合、防水シートは、少なくとも固定部材１９０が存在する領域に設けられていてよい。
【符号の説明】
【００４３】
１００    屋外設置用の器具
１４０    基部
１４２    固定部
１４７    雪止め部
１４８    支持面
１５０    支持部材
１５７    固定部
１５８    支持面
１７０    締結部材
１８０    締結部材
１９０    固定部材
Ｆ１      流れ方向
Ｆ２      横方向
【図１】
2019218733.tif 000003
【図２】
2019218733.tif 000004
【図３】
2019218733.tif 000005
【図４】
2019218733.tif 000006
【図５】
2019218733.tif 000007
【図６】
2019218733.tif 000008
【図７】
2019218733.tif 000009
【図８】
2019218733.tif 000010
【図９】
2019218733.tif 000011